【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
撮像手段から得られる画像において、焦点を合わせる対象の領域である主領域と、前記主領域の周囲に複数の副領域とを設定する設定手段と、
フォーカスレンズを移動させながら、複数のフォーカスレンズ位置において前記撮像手段から得られた画像における前記主領域及び前記複数の副領域それぞれの合焦状態及び当該合焦状態に基づく合焦点を取得する取得手段と、
前記取得手段により得られた前記主領域の合焦状態に基づいて合焦制御が可能か否かを判断する判断手段と、
前記判断手段により前記主領域の合焦状態に基づいて合焦制御が可能でないと判断されたことに応じて、前記主領域の合焦状態と、前記複数の副領域の内の前記主領域の前記合焦点から所定範囲内にある合焦点を有する副領域の合焦状態とを用いて、合焦制御を行う合焦制御手段と
を有することを特徴とする撮像装置。
【請求項２】
前記合焦制御手段は、前記主領域の合焦状態と、前記主領域の前記合焦点から所定範囲内にある合焦点を有する副領域の合焦状態とを合成した合焦状態に基づいて、合焦制御を行うことを特徴とする請求項１に記載の撮像装置。
【請求項３】
前記判断手段は、更に、前記合成した合焦状態に基づいて合焦制御が可能か否かを判断し、
前記合焦制御手段は、前記合成した合焦状態に基づいて合焦制御が可能であると判断されたことに応じて、該合成した合焦状態に基づいて合焦制御を行うことを特徴とする請求項２に記載の撮像装置。
【請求項４】
撮像手段から得られる画像において、焦点を合わせる対象の領域である主領域と、前記主領域を内包する副領域とを設定する設定手段と、
フォーカスレンズを移動させながら、複数のフォーカスレンズ位置において前記撮像手段から得られた画像における前記主領域及び前記副領域それぞれの合焦状態及び当該合焦状態に基づく合焦点を取得する取得手段と、
前記取得手段により得られた前記主領域の合焦状態に基づいて合焦制御が可能か否かを判断し、可能ではないと判断されたことに応じて、前記副領域の合焦状態に基づいて合焦制御が可能か否かを判断する判断手段と、
前記判断手段により、前記副領域に合焦制御が可能であると判断され、且つ、前記主領域と前記副領域の合焦点が所定範囲内にある場合に、前記副領域の合焦点に合焦制御を行う合焦制御手段と
を有することを特徴とする撮像装置。
【請求項５】
前記判断手段により前記主領域の合焦状態に基づいて合焦制御が可能であると判断された場合に、前記合焦制御手段は、前記主領域の合焦点に前記フォーカスレンズを駆動することを特徴とする請求項１乃至４のいずれか１項に記載の撮像装置。
【請求項６】
前記主領域は、任意に設定された領域であることを特徴とする請求項１乃至５のいずれか１項に記載の撮像装置。
【請求項７】
前記撮像手段から得られる画像から、予め設定された条件を満たす被写体を検出する検出手段を有し、
前記設定手段は、前記検出手段により検出された被写体を含む領域を主領域に設定することを特徴とする請求項１乃至５のいずれか１項に記載の撮像装置。
【請求項８】
前記被写体は、人の顔であることを特徴とする請求項７に記載の撮像装置。
【請求項９】
撮像手段から得られる画像において、焦点を合わせる対象の領域である主領域と、前記主領域の周囲に複数の副領域とを設定する設定工程と、
フォーカスレンズを移動させながら、複数のフォーカスレンズ位置において前記撮像手段から得られた画像における前記主領域及び前記複数の副領域それぞれの合焦状態及び当該合焦状態に基づく合焦点を取得する取得工程と、
前記取得工程により得られた前記主領域の合焦状態に基づいて合焦制御が可能か否かを判断する判断工程と、
前記判断工程において前記主領域の合焦状態に基づいて合焦制御が可能でないと判断されたことに応じて、前記主領域の合焦状態と、前記複数の副領域の内の前記主領域の前記合焦点から所定範囲内にある合焦点を有する副領域の合焦状態とを用いて、合焦制御を行う合焦制御工程と
を有することを特徴とする合焦制御方法。
【請求項１０】
撮像手段から得られる画像において、焦点を合わせる対象の領域である主領域と、前記主領域を内包する副領域とを設定する設定工程と、
フォーカスレンズを移動させながら、複数のフォーカスレンズ位置において前記撮像手段から得られた画像における前記主領域及び前記副領域それぞれの合焦状態及び当該合焦状態に基づく合焦点を取得する取得工程と、
前記取得工程で得られた前記主領域の合焦状態に基づいて合焦制御が可能か否かを判断し、可能ではないと判断されたことに応じて、前記副領域の合焦状態に基づいて合焦制御が可能か否かを判断する判断工程と、
前記判断工程で前記副領域に合焦制御が可能であると判断され、且つ、前記主領域と前記副領域の合焦点が所定範囲内にある場合に、前記副領域の合焦点に合焦制御を行う合焦制御工程と
を有することを特徴とする合焦制御方法。
【手続補正２】
【補正対象書類名】明細書
【補正対象項目名】００１０
【補正方法】変更
【補正の内容】
【００１０】
本発明の撮像装置は、撮像手段から得られる画像において、焦点を合わせる対象の領域である主領域と、前記主領域の周囲に複数の副領域とを設定する設定手段と、フォーカスレンズを移動させながら、複数のフォーカスレンズ位置において前記撮像手段から得られた画像における前記主領域及び前記複数の副領域それぞれの合焦状態及び当該合焦状態に基づく合焦点を取得する取得手段と、前記取得手段により得られた前記主領域の合焦状態に基づいて合焦制御が可能か否かを判断する判断手段と、前記判断手段により前記主領域の合焦状態に基づいて合焦制御が可能でないと判断されたことに応じて、前記主領域の合焦状態と、前記複数の副領域の内の前記主領域の前記合焦点から所定範囲内にある合焦点を有する副領域の合焦状態とを用いて、合焦制御を行う合焦制御手段とを有する。
【手続補正３】
【補正対象書類名】明細書
【補正対象項目名】００１１
【補正方法】変更
【補正の内容】
【００１１】
また、本発明の合焦制御方法は、撮像手段から得られる画像において、焦点を合わせる対象の領域である主領域と、前記主領域の周囲に複数の副領域とを設定する設定工程と、フォーカスレンズを移動させながら、複数のフォーカスレンズ位置において前記撮像手段から得られた画像における前記主領域及び前記複数の副領域それぞれの合焦状態及び当該合焦状態に基づく合焦点を取得する取得工程と、前記取得工程により得られた前記主領域の合焦状態に基づいて合焦制御が可能か否かを判断する判断工程と、前記判断工程において前記主領域の合焦状態に基づいて合焦制御が可能でないと判断されたことに応じて、前記主領域の合焦状態と、前記複数の副領域の内の前記主領域の前記合焦点から所定範囲内にある合焦点を有する副領域の合焦状態とを用いて、合焦制御を行う合焦制御工程とを有する。
【手続補正４】
【補正対象書類名】明細書
【補正対象項目名】００１２
【補正方法】変更
【補正の内容】
【００１２】
また、別の構成によれば、本発明の撮像装置は、撮像手段から得られる画像において、焦点を合わせる対象の領域である主領域と、前記主領域を内包する副領域とを設定する設定手段と、フォーカスレンズを移動させながら、複数のフォーカスレンズ位置において前記撮像手段から得られた画像における前記主領域及び前記副領域それぞれの合焦状態及び当該合焦状態に基づく合焦点を取得する取得手段と、前記取得手段により得られた前記主領域の合焦状態に基づいて合焦制御が可能か否かを判断し、可能ではないと判断されたことに応じて、前記副領域の合焦状態に基づいて合焦制御が可能か否かを判断する判断手段と、前記判断手段により、前記副領域に合焦制御が可能であると判断され、且つ、前記主領域と前記副領域の合焦点が所定範囲内にある場合に、前記副領域の合焦点に合焦制御を行う合焦制御手段とを有する。
【手続補正５】
【補正対象書類名】明細書
【補正対象項目名】００１３
【補正方法】変更
【補正の内容】
【００１３】
また、本発明の合焦制御方法は、撮像手段から得られる画像において、焦点を合わせる対象の領域である主領域と、前記主領域を内包する副領域とを設定する設定工程と、フォーカスレンズを移動させながら、複数のフォーカスレンズ位置において前記撮像手段から得られた画像における前記主領域及び前記副領域それぞれの合焦状態及び当該合焦状態に基づく合焦点を取得する取得工程と、前記取得工程で得られた前記主領域の合焦状態に基づいて合焦制御が可能か否かを判断し、可能ではないと判断されたことに応じて、前記副領域の合焦状態に基づいて合焦制御が可能か否かを判断する判断工程と、前記判断工程で前記副領域に合焦制御が可能であると判断され、且つ、前記主領域と前記副領域の合焦点が所定範囲内にある場合に、前記副領域の合焦点に合焦制御を行う合焦制御工程とを有する。
【手続補正６】
【補正対象書類名】明細書
【補正対象項目名】００６４
【補正方法】変更
【補正の内容】
【００６４】
ステップＳ１１２では主枠（Ｗ０）のピーク位置と枠Ｗｉのピーク位置の差がβ深度より大きいかどうかを調べ、大きければステップＳ１１３へと進み、小さければステップＳ１０７へと進む。ステップＳ１０７では、枠Ｗｉのピーク位置へとフォーカスレンズ１０４を駆動して、ステップＳ１０８へと進む。ステップＳ１０８では合焦したことを表示して合焦制御を終了する。なお、ここでの合焦表示枠は、主枠でも、枠Ｗｉの枠でもよい。